【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
筺体と、
実質的に同じサイズだが異なる機能を有する互換性のあるコンポーネントの第１の群から選択された第１のハードウェアコンポーネントであって、上記筺体に結合された第１のハードウェアコンポーネントと、
実質的に同じサイズだが異なる機能を有する互換性のあるコンポーネントの第２の群から選択された第２のハードウェアコンポーネントであって、上記筺体に結合された第２のハードウェアコンポーネントとを含み、
上記第１のハードウェアコンポーネントが上記筺体の第１部分に配置され、上記第２のハードウェアコンポーネントが上記筺体の第２部分に配置され、
第３のハードウェアコンポーネントを上記筐体の上記第１部分と上記第２部分とを組み合わせた部分に配置して、上記第３のハードウェアコンポーネントと、上記第１のハードウェアコンポーネントならびに上記第２のハードウェアコンポーネントとを交換することが可能であるように構成されていることを特徴とする携帯電話機。
【請求項２】
互換性のあるハードウェアコンポーネントの第１の群の上記ハードウェアコンポーネントは、実質的に同じ形状を有することを特徴とする請求項１に記載の携帯電話機。
【請求項３】
上記互換性のあるコンポーネントの第１の群から選択された第２のハードウェアコンポーネントで、上記の第１のハードウェアコンポーネントを置き換えることが可能であるように構成されていることを特徴とする請求項１に記載の携帯電話機。
【請求項４】
上記ハードウェアコンポーネントはエンドユーザによって選択されたものであることを特徴とする請求項１に記載の携帯電話機。
【請求項５】
携帯電話ネットワークとの通信のために構成されたアンテナをさらに備えることを特徴とする請求項１に記載の携帯電話機。
【請求項６】
上記第３のハードウェアコンポーネントは、実質的に同じサイズだが異なる機能を有する互換性のあるコンポーネントの第３の群から選択されたものであることを特徴とする請求項１に記載の携帯電話機。
【請求項７】
互換性のあるハードウェアコンポーネントの第１の群の各ハードウェアコンポーネントのサイズと、互換性のあるハードウェアコンポーネントの第２の群の各ハードウェアコンポーネントのサイズとは異なることを特徴とする請求項１に記載の携帯電話機。
【請求項８】
互換性のあるコンポーネントの第２の群のコンポーネントは、互換性のあるハードウェアコンポーネントの第１の群のコンポーネントと互換性がないことを特徴とする請求項７に記載の携帯電話機。
【請求項９】
上記第１のハードウェアコンポーネントは、上記筺体の、互換性のあるハードウェアコンポーネントの第１の群のハードウェアコンポーネントを受け入れるための第１部分に配置され、上記第２のハードウェアコンポーネントは、上記筺体の、互換性のあるハードウェアコンポーネントの第２の群のハードウェアコンポーネントを受け入れるための第２部分に配置されていることを特徴とする請求項７に記載の携帯電話機。
【請求項１０】
上記筺体は、異なるサイズの筺体の群から選択されたものであることを特徴とする請求項１に記載の携帯電話機。
【請求項１１】
上記第１のハードウェアコンポーネントは、上記筺体のサイズに適合した、互換性のあるハードウェアコンポーネントの部分群から選択されたものであることを特徴とする請求項１０に記載の携帯電話機。
【請求項１２】
１つないし複数の互換性のないハードウェアコンポーネントをさらに備えることを特徴とする請求項１に記載の携帯電話機。
【請求項１３】
上記互換性のあるハードウェアコンポーネントが上記筺体の容積中で占めている部分が、上記筺体の容積中で上記互換性のないハードウェアコンポーネントが占めている部分よりも大きいことを特徴とする請求項１２に記載の携帯電話機。
【請求項１４】
上記互換性のないハードウェアコンポーネントがディスプレイを含む請求項１２に記載の携帯電話機。
【請求項１５】
上記互換性のないハードウェアコンポーネントがキーボードを含む請求項１２に記載の携帯電話機。
【請求項１６】
上記互換性のないハードウェアコンポーネントがプロセッサーを含む請求項１２に記載の携帯電話機。
【請求項１７】
上記互換性のないハードウェアコンポーネントがアンテナを含む請求項１２に記載の携帯電話機。
【請求項１８】
上記互換性のないハードウェアコンポーネントがカメラを含む請求項１２に記載の携帯電話機。
【請求項１９】
前記互換性のあるコンポーネントの第１の群が超音波検査変換器を含む請求項１に記載の携帯電話機。
【請求項２０】
前記互換性のあるコンポーネントの第１の群が赤外線カメラを含む請求項１に記載の携帯電話機。
【請求項２１】
前記互換性のあるコンポーネントの第１の群が心臓モニターを含む請求項１に記載の携帯電話機。
【請求項２２】
前記互換性のあるコンポーネントの第１の群がコネクタを含む請求項１に記載の携帯電話機。
【請求項２３】
前記コネクタが、ユニバーサルシリアルバス（ＵＳＢ）コネクタ、ＩＥＥＥ１３９４コネクタ、ディスプレイポートコネクタ、デジタルビジュアルインターフェースコネクタ、同軸ケーブルコネクタ、高精細度マルチメディアインターフェースコネクタ、レジスタージャック（ＲＪ）、ＴＲＳコネクタ、またはそれらの小型版のうちの一つを含む請求項２２に記載の携帯電話機。
【請求項２４】
前記互換性のあるコンポーネントの第１の群がマイクロインパルスレーダー変換器を含む請求項１に記載の携帯電話機。
【請求項２５】
前記互換性のあるコンポーネントの第１の群が食品テスターを含む請求項１に記載の携帯電話機。
【請求項２６】
前記食品テスターはアレルギー源の存在を検知するように構成される請求項２５に記載の携帯電話機。
【請求項２７】
前記互換性のあるコンポーネントの第１の群が血糖テスターを含む請求項１に記載の携帯電話機。
【請求項２８】
前記互換性のあるコンポーネントの第１の群が磁気ストライプリーダーを含む請求項１に記載の携帯電話機。
【請求項２９】
前記互換性のあるコンポーネントの第１の群が電池を含む請求項１に記載の携帯電話機。
【請求項３０】
前記互換性のあるコンポーネントの第１の群が事故データレコーダーを含む請求項１に記載の携帯電話機。
【請求項３１】
前記事故データレコーダーが加速度計を含む請求項３０に記載の携帯電話機。
【請求項３２】
前記互換性のあるコンポーネントの第１の群がマイクロプロセッサを含む請求項１に記載の携帯電話機。
【請求項３３】
前記マイクロプロセッサが画像処理ユニット含む請求項３２に記載の携帯電話機。
【請求項３４】
前記互換性のあるコンポーネントの第１の群がスピーカーを含む請求項１に記載の携帯電話機。
【請求項３５】
前記互換性のあるコンポーネントの第１の群がマイクを含む請求項１に記載の携帯電話機。
【請求項３６】
前記互換性のあるコンポーネントの第１の群がＲＦＩＤリーダーを含む請求項１に記載の携帯電話機。
【請求項３７】
前記互換性のあるコンポーネントの第１の群がディスプレイを含む請求項１に記載の携帯電話機。
【請求項３８】
前記互換性のあるコンポーネントの第１の群がキーボードを含む請求項１に記載の携帯電話機。
【請求項３９】
前記互換性のあるコンポーネントの第１の群がアンテナを含む請求項１に記載の携帯電話機。
【請求項４０】
前記第１のハードウェアコンポーネントが少なくとも部分的に前記筺体の中に配置される請求項１に記載の携帯電話機。
【請求項４１】
前記第１のハードウェアコンポーネントが完全に前記筺体の中に配置される請求項１に記載の携帯電話機。
【請求項４２】
前記筐体に結合された電気接続の群をさらに含み、及び、
前記互換性のあるコンポーネントの第１の群の中の各コンポーネントが前記電気接続の群に電気的に結合されるように構成される請求項１に記載の携帯電話機。
【請求項４３】
前記互換性のあるハードウェアコンポーネントが前記筐体の容積の少なくとも５０パーセントを占有する請求項１に記載の携帯電話機。
【請求項４４】
前記互換性のあるハードウェアコンポーネントが前記筐体の容積の少なくとも９０パーセントを占有する請求項１に記載の携帯電話機。